(57)【要約】【課題】使用者が通信記録体をアンテナ部にかざした際に、通信記録体と通信できた場合とできなかった場合とに応じた処理を行う自動改札機を提供する。【解決手段】自動改札機１は、通信エリアＡ内に存在する通信記録体と無線通信するアンテナ部１４と、通信エリアＡ内に存在する物体を検知する物体検知部と、アンテナ部１４の通信状態および前記物体検知部による検知結果に応じた処理を実行する制御手段とを有し、制御手段は、物体検知部により通信エリアＡ内に物体が存在することを検知してから所定の時間が経過してもアンテナ部１４が通信記録体と無線通信しない場合には、使用者に対して通信記録体の確認を促す確認処理を実行する。【選択図】図５
2015108938.tif 000002
【特許請求の範囲】
【請求項１】
通信エリア内に存在する通信記録体と無線通信するアンテナ部と、
前記通信エリア内に存在する物体を検知する物体検知センサーと、
前記アンテナ部の通信状態および前記物体検知センサーによる検知結果に応じた処理を実行する制御手段と、
を有することを特徴とする自動改札機。
【請求項２】
前記物体検知センサーにより前記通信エリア内に物体が存在することを検知してから所定の時間が経過しても前記アンテナ部が前記通信記録体と無線通信しない場合には、前記制御手段は、使用者に対して通信記録体の確認を促す確認処理を実行することを特徴とする請求項１に記載の自動改札機。
【請求項３】
前記制御手段は、前記確認処理を実行した場合において、前記物体検知センサーにより前記通信エリア内に物体が存在することを検知している状態が所定時間にわたって継続した場合には、前記確認処理を終了することを特徴とする請求項２に記載の自動改札機。
【請求項４】
通信エリア内に存在する通信記録体と無線通信するアンテナ部を有する自動改札機の制御方法であって、
前記通信エリア内に物体が存在するか否かを検知する物体検知ステップと、
前記物体検知ステップにおいて物体が検知された場合には、前記アンテナ部が前記通信記録体と無線通信しているか否かを判定する通信判定ステップと、
前記物体検知ステップの検知結果と前記通信判定ステップの判定結果とに応じた処理を行う処理ステップと、
を有することを特徴とする自動改札機の制御方法。
【請求項５】
前記物体検知ステップにおいて、物体を検知してから所定の時間が経過しても前記通信判定ステップにおいて無線通信していないと判定された場合には、
前記処理ステップにおいて、使用者に対して前記通信記録体の確認を促す確認処理を実行することを特徴とする請求項４に記載の自動改札機の制御方法。
【請求項６】
前記処理ステップにおいて、前記通信エリア内に物体が存在することを検知している状態が所定時間にわたって継続した場合には、前記確認処理を終了することを特徴とする請求項５に記載の自動改札機の制御方法。
【発明の詳細な説明】
【技術分野】
【０００１】
本発明は、自動改札機および自動改札機の制御方法に関する。特には、ＩＣカードなどの通信記録体に対応する自動改札機と、その制御方法に関する。
【背景技術】
【０００２】
ＩＣカードなどの通信記録体の利用に対応する自動改札機は、通信記録体と通信を行うアンテナ部と、アンテナ部を介して通信記録体に格納される情報の読み書きを行うリーダ／ライタ（以下、「Ｒ／Ｗ」と記す）を有する。そして、アンテナ部の通信エリア（通信記録体と通信可能なエリアをいう）内にＩＣカードが存在することを検出すると、当該通信記録体と通信して情報を読出し、読み出した情報に応じた処理や動作を行う。
ところで、使用者（たとえば駅利用客）が通信記録体をアンテナ部にかざしたつもりであっても、実際には通信記録体がアンテナ部の通信エリア内に入っていないことがある。この場合には、アンテナ部と通信記録体との間で通信が行われないため、自動改札機は反応しない。このため使用者は、所持している通信記録体に対して所定の処理が実行されなかったことに気付かないことがある。この場合、たとえば、入場駅において入場記録が書き込まれないと、出場駅において正しく精算できない。
【先行技術文献】
【特許文献】
【０００３】
【特許文献１】特開平０８−１３８０９３号公報
【発明の概要】
【発明が解決しようとする課題】
【０００４】
上記実情に鑑み、本発明が解決しようとする課題は、使用者が通信記録体をアンテナ部にかざした際に、通信記録体と通信できた場合とできなかった場合とに応じた処理を行う自動改札機および自動改札機の制御方法を提供することである。
【課題を解決するための手段】
【０００５】
前述の課題を解決するため、本発明の自動改札機は、通信エリア内に存在する通信記録体と無線通信するアンテナ部と、前記通信エリア内に存在する物体を検知する物体検知センサーと、前記アンテナ部の通信状態および前記物体検知センサーによる検知結果に応じた処理を実行する制御手段と、を有することを特徴とする。
【０００６】
前記物体検知センサーにより前記通信エリア内に物体が存在することを検知してから所定の時間が経過しても前記アンテナ部が前記通信記録体と無線通信しない場合には、前記制御手段は、使用者に対して通信記録体の確認を促す確認処理を実行する構成であってもよい。
【０００７】
前記制御手段は、前記確認処理を実行した場合において、前記物体検知センサーにより前記通信エリア内に物体が存在することを検知している状態が所定時間にわたって継続した場合には、前記確認処理を終了する構成であってもよい。
【０００８】
本発明の自動改札機の制御方法は、通信エリア内に存在する通信記録体と無線通信するアンテナ部を有する自動改札機の制御方法であって、前記通信エリア内に物体が存在するか否かを検知する物体検知ステップと、前記物体検知ステップにおいて物体が検知された場合には、前記アンテナ部が前記通信記録体と無線通信しているか否かを判定する通信判定ステップと、前記物体検知ステップの検知結果と前記通信判定ステップの判定結果とに応じた処理を行う処理ステップと、を有することを特徴とする。
【０００９】
前記物体検知ステップにおいて物体を検知してから所定の時間が経過しても前記通信判定ステップにおいて無線通信していないと判定された場合には、前記処理ステップにおいて、使用者に対して前記通信記録体の確認を促す確認処理を実行する構成であってもよい。
【００１０】
前記処理ステップにおいて、前記通信エリア内に物体が存在することを検知している状態が所定時間にわたって継続した場合には、前記確認処理を終了する構成であってもよい。
【発明の効果】
【００１１】
本発明によれば、使用者が通信記録体をアンテナ部にかざした際に、通信記録体と通信できた場合とできなかった場合とに応じた処理を行うことができる。
【図面の簡単な説明】
【００１２】
【図１】図１は、本発明の実施形態に係る自動改札機の外観構成の一例を示す模式図である。
【図２】図２は、本発明の実施形態に係る自動改札機の内部構成の一例を示す模式図である。
【図３】図３は、本発明の実施形態に係る自動改札機のハードウェア構成の一例示す模式的である。
【図４】図４は、アンテナ部の通信エリアと物体検知センサーの検知エリアとの関係を示す模式図である。
【図５】図５は、自動改札機の処理の一例を示すフローチャートである。
【図６】図６は、確認処理における表示器の表示画面の一例を示す図である。
【発明を実施するための形態】
【００１３】
以下に、本発明の実施形態について、図面を参照して説明する。
まず、本発明の実施形態に係る自動改札機の全体的な構成について、図１〜図３を参照して説明する。図１は、本発明の実施形態に係る自動改札機１の外観構成の一例を示す模式図である。図２は、本発明の実施形態に係る自動改札機１の内部構成の一例を示す断面模式図である。図３は、本発明の実施形態に係る自動改札機１のハードウェア構成の一例を示す模式図である。図１〜図３に示すように、自動改札機１は、筺体１０と、主制御盤１１と、監視盤１２と、Ｒ／Ｗ１３と、アンテナ部１４と、物体検知センサー１５と、表示器１６と、スピーカー１７と、ブザー１８と、インジケーター１９とを含んで構成される。
なお、この実施形態においては、自動改札機１が開閉扉を有さない構成を示すが、開閉扉を有していてもよい。
【００１４】
主制御盤１１は、自動改札機１を制御する制御手段としての機能を有する。主制御盤１１は、たとえば、所定の演算を実行するＣＰＵと、コンピュータプログラムや各種データが格納されているＲＯＭと、コンピュータプログラムや各種データを一時的に格納できるＲＡＭとを有するコンピュータが適用される。ＲＯＭには、自動改札機１を制御するためのコンピュータプログラムや、自動改札機１の制御に用いられる各種データが格納されている。ＣＰＵは、ＲＯＭに格納されているコンピュータプログラムを読出し、ＲＡＭに展開して実行する。これにより主制御盤１１は、自動改札機１を制御する制御手段として機能し、自動改札機１の制御が実行される。
【００１５】
監視盤１２は、アンテナ部１４（後述）にかざされた物体が自動改札機１により対応できる通信記録体であるかなどを監視する監視手段としての機能を有する。監視盤１２も、所定の演算を実行するＣＰＵと、コンピュータプログラムや各種データが格納されているＲＯＭと、コンピュータプログラムや各種データを一時的に格納できるＲＡＭとを有するコンピュータが適用される。ＲＯＭには、監視を実行するためのコンピュータプログラムや、監視に用いられる各種データが格納されている。ＣＰＵは、ＲＯＭに格納されているコンピュータプログラムを読出し、ＲＡＭに展開して実行する。これにより、監視盤１２は、アンテナ部１４（後述）にかざされた物体が自動改札機１により対応可能な通信記録体であるかなどを監視する監視手段として機能する。
【００１６】
Ｒ／Ｗ１３は、制御手段（主制御盤１１）による制御にしたがって、使用者（たとえば、駅利用客）がアンテナ部１４にかざした（接近または接触させた）ＩＣカードなどの通信記録体に設けられるＩＣチップと、アンテナ部１４を介して無線通信を行う。アンテナ部１４は、たとえば所定のインダクタンスを有するコイルと所定の静電容量を有するキャパシタとからなる共振回路を有する。
Ｒ／Ｗ１３はアンテナ部１４を駆動し、アンテナ部１４から所定の波長帯域の搬送波（電磁波）を発信することで磁界を発生する。これにより、通信記録体に非接触で電力を供給する。また、Ｒ／Ｗ１３は、送信するコマンドやデータに応じて搬送波を変調し、変調した搬送波をアンテナ部１４を介して通信記録体に送信する。さらに、Ｒ／Ｗ１３は、アンテナ部１４を介して、通信記録体からの応答信号である電磁波を受信する。そして、Ｒ／Ｗ１３は、受信した応答信号を復調し、復調した応答信号からコマンドやデータを取得する。このように、Ｒ／Ｗ１３は、アンテナ部１４を介して通信記録体と非接触で通信する。説明の便宜上、Ｒ／Ｗ１３がアンテナ部１４を介して通信記録体と無線通信可能なエリアを、「通信エリア」と記す。
アンテナ部１４は、たとえば、使用者が通信記録体をかざしやすいように、筺体１０の前面の上側寄りの位置に設けられる。また、アンテナ部１４は、その前面が前方斜め上側を向くように設けられる。なお、アンテナ部１４には光源（たとばＬＥＤ）が設けられ、制御手段の制御にしたがって発光する。ここでは、アンテナ部１４に青色と赤色の光源が設けられるものとする。
【００１７】
物体検知センサー１５は、アンテナ部１４の通信エリア内に存在する物体を検知する。物体検知センサー１５による検知結果は、監視手段（監視盤１２）に送信される。説明の便宜上、物体検知センサー１５により物体を検知できる範囲を、「検知エリア」と記す。物体検知センサー１５には、たとえば反射型の光電センサーが適用される。ただし、物体検知センサー１５は、光電センサーに限定されるものではない。物体検知センサー１５は、非接触でアンテナ部１４の通信エリア内に存在する物体を検知できるセンサーであればよく、従来公知の各種センサーが適用できる。
【００１８】
表示器１６は、制御手段の制御にしたがって各種情報を表示する。表示器１６には、たとえば液晶表示装置が適用される。
スピーカー１７およびブザー１８は、筺体１０の内部に設けられる。そして、制御手段の制御にしたがって音声を発する。
インジケーター１９は、筺体１０の上面に設けられる。インジケーター１９の内部には、互いに異なる複数の色の光源（たとえばＬＥＤなど）が設けられる。インジケーター１９に設けられる光源は、制御手段による制御にしたがって発光する。ここでは、青色と赤色と黄色の光源が、前面視において横方向に並べて設けられるものとする。
【００１９】
次いで、アンテナ部１４の通信エリアと物体検知センサー１５の検知エリアとの関係について、図４を参照して説明する。図４は、アンテナ部１４の通信エリアＡと物体検知センサー１５の検知エリアＢとの関係を示す模式図であり、（ａ）は前面から見た図、（ｂ）は側面から見た断面図である。アンテナ部１４の前面側のドーム状の空間がアンテナ部１４の通信エリアＡとなる。一方、検知センサーから扇状（または錐形）に広がる空間が、物体検知センサー１５の検知エリアＢとなる。物体検知センサー１５の検知エリアＢはアンテナ部１４の通信エリアＡと重畳しており、アンテナ部１４の通信エリアＡ内に存在する物体を検知できる。
たとえば、筺体１０のアンテナ部１４の上側が前方に向かって張り出しており、物体検知センサー１５はその内部に設けられる。そして、物体検知センサー１５は、その下方の空間に存在する物体を検知できる。このような構成によれば、アンテナ部１４の通信エリアＡと物体検知センサー１５の検知エリアＢとが重畳し、物体検知センサー１５は、アンテナ部１４の通信エリアＡ内に存在する物体を検知できる。
なお、アンテナ部１４および物体検知センサー１５が設けられる具体的な位置は限定されるものではない。アンテナ部１４は、使用者が通信記録体をかざすことができる位置に設けられる構成であればよい。また、物体検知センサー１５は、アンテナ部１４の通信エリアＡ内に存在する物体を非接触で検知できる位置に設けられる構成であればよい。
また、アンテナ部１４の通信エリアＡ外に物体が接近したことを検知できるように、物体検知センサー１５の検知エリアＢは、アンテナ部１４の通信エリアＡよりも広い構成であってもよい。
【００２０】
次に、自動改札機１の処理および動作について説明する。図５は、自動改札機１の処理の一例を示すフローチャートである。この処理を実行するためのコンピュータプログラムは、あらかじめ主制御盤１１のＲＯＭと監視盤１２のＲＯＭに格納されている。そして、主制御盤１１のＣＰＵと監視盤１２のＣＰＵが、それぞれコンピュータプログラムをＲＯＭから読出し、ＲＡＭに展開して実行する。これにより、主制御盤１１が制御手段として機能するとともに監視盤１２が監視手段として機能し、図５のフローチャートに示す処理が実現する。
【００２１】
なお、このフローチャートに示す処理の開始時において、Ｒ／Ｗ１３はアンテナ部１４を駆動して、ポーリングコマンドを発信し続けている。この状態で通信記録体がアンテナ部１４の通信エリアＡ内に入ると、通信記録体のＩＣチップがアンテナ部１４から電力の供給を受けて起動する。そして通信記録体のＩＣチップは、アンテナ部１４からポーリングコマンドを受信すると、通信記録体に設けられるコイルを介してレスポンス（応答信号）を発信する。Ｒ／Ｗ１３は、アンテナ部１４を介してレスポンスを受信すると、この通信記録体と無線通信を継続する。そして、Ｒ／Ｗ１３は、通信記録体に対し、たとえば、認証、読出し、判定、書き込み、書き込み確認という一連の処理を行い、これらの一連の処理が終了すると、通信記録体との接続を切断する。
【００２２】
ステップＳ１０１の「物体検知？」において、監視手段は、物体検知センサー１５による検知結果を取得し、アンテナ部１４の通信エリアＡ内に物体が存在するか否かを判定する（物体検知ステップ）。アンテナ部１４の通信エリアＡ内に物体が存在しないと判定した場合には、このステップで待機する。物体が存在すると判定した場合には、ステップＳ１０２に進む。
【００２３】
ステップＳ１０２の「タイマスタート」において、監視手段は、アンテナ部１４の通信エリアＡ内に物体が存在すると判定してからの経過時間の測定（計時）を開始する。そしてステップＳ１０３に進む。
【００２４】
ステップＳ１０３の「タイムアップ？」において、監視手段は、計時を開始してから所定時間が経過したか否かを判定する。なお、この所定時間は特に限定されるものではなく、適宜設定される。また、この所定時間は、制御手段または監視手段によって変更可能であってもよい。所定時間経過していない場合には、ステップＳ１０４に進む。所定時間経過した場合には、ステップＳ１０６に進む。
【００２５】
ステップＳ１０４の「通信記録体処理中？」では、監視手段は、Ｒ／Ｗ１３が通信記録体と無線通信しているか否かを判定する（通信判定ステップ）。具体的には、ポーリングコマンドに対するレスポンスを受信してから通信記録体との接続を切断するまでの間のいずれかの処理を実行している場合には、通信記録体と無線通信していると判定する。無線通信していない場合には、ステップＳ１０３に戻る。無線通信している場合には、ステップＳ１０５に進む。
【００２６】
ステップＳ１０５に進んだ場合（ステップＳ１０４において「Ｙｅｓ」の場合）には、使用者がアンテナ部１４にかざした物体は、自動改札機１が対応できる通信記録体である。この場合には、制御手段は通常の制御を行い、Ｒ／Ｗ１３による通信記録体との無線通信を継続させる。そして、通信記録体のＩＣチップに格納されるデータに応じた処理や動作を行う。
通常の処理とは、たとえば、入場記録または出場記録の書き込み、ＳＦ利用の精算、定期券の区間判定、通信記録体の有効期限判定などである。また、制御手段は、認証〜書き込み確認の処理を正常に終了した場合には、インジケーター１９の青色の光源または青色と黄色の光源を点灯する。認証〜書き込み確認間のいずれかの段階で異常が発生した場合には、インジケーター１９の赤色の光源または赤色と黄色の光源を点灯するとともに、アンテナ部１４の赤色の光源を点灯する。認証〜書き込み確認の処理が未了である場合には、インジケーター１９とアンテナ部１４の赤色の光源を点滅する。また、制御手段は、表示器１６に、処理に応じた表示を行う。また、制御手段は、認証〜書き込み確認の間のいずれかの段階で異常が発生した場合や、処理が未了の場合には、スピーカー１７またはブザー１８を介して音声案内を行う。
【００２７】
ステップＳ１０５の「タイマストップ」において、監視手段は、ステップＳ１０２で開始した計時を終了する。そしてステップＳ１１１に進む。なお、Ｒ／Ｗ１３は、認証〜書き込み確認の処理の間（アンテナ部１４を介して通信記録体と無線通信している間）は、アンテナ部１４の光源を消灯する。
【００２８】
ステップＳ１０３の「タイムアップ？」において、所定時間が経過した場合には、ステップＳ１０６に進む。ステップＳ１０６に進んだ場合には、次のいずれかの状況である。（１）使用者がアンテナ部１４にかざした物体は、自動改札機１が対応できる通信記録体ではない。（２）使用者がアンテナ部１４にかざした物体が、自動改札機１が対応できる通信記録体であったとしても、通信記録体がアンテナ部１４の通信エリアＡ内に無線通信できるように入っていない。
【００２９】
そこで、ステップＳ１０６の「確認処理開始」において、監視手段は、その旨を示す信号を制御手段に送信する。制御手段は、監視手段からこの信号を受信すると、使用者に通信記録体の確認を促す処理を開始する。説明の便宜上、この処理を「確認処理」と記す。
制御手段は、確認処理として、次の処理を実行する。（１）ブザー１８またはスピーカー１７を制御して使用者に対して確認を促す音声を発する。たとえば、「ＩＣカードをお確かめ下さい」という音声を発する。（２）インジケーター１９を所定の態様で作動させる。たとえば、インジケーター１９の赤色または黄色のランプを点滅させる。（３）表示器１６に、使用者に対してＩＣカードを確認するように促すメッセージなどを表示する。図６は、確認処理における表示器１６の表示画面の例を示す図である。
なお、これらは確認処理の例であり、確認処理はこれらの処理に限定されない。要は、使用者に対して、アンテナ部１４にかざした物体の確認を促す処理であればよい。そして、ステップＳ１０７に進む。
【００３０】
ステップＳ１０７〜Ｓ１０９においては、アンテナ部１４の通信エリアＡに物体が存在している状態が所定時間にわたって継続したか否かを判定する。
まず、ステップＳ１０７の「タイマスタート」において、監視手段は、制御手段が確認処理を開始してからの経過時間の計測（計時）を開始する。そしてステップＳ１０８に進む。
ステップＳ１０８の「物体検知？」において、監視手段は、物体検知センサー１５の検知結果を取得して、アンテナ部１４の通信エリアＡ内に物体が存在しているか否かを判定する。物体が存在している場合にはステップＳ１０９に進む。物体が存在していない場合には、ステップＳ１０９を経ずにステップＳ１１０に進む。
ステップＳ１０９の「タイムアップ？」においては、監視手段は、ステップＳ１０７で計時を開始してから所定時間が経過したか否かを判定する。所定時間が経過していない場合には、ステップＳ１０８に戻る。所定時間が経過した場合には、ステップＳ１１０に進む。なお、この所定時間も、特に限定されるものではない。また、この所定時間も、制御手段または監視手段によって変更可能である。
【００３１】
ステップＳ１１０の「確認処理終了」においては、監視手段は、所定時間が経過したこと（アンテナ部１４の通信エリアに、物体が所定時間にわたって存在していること）を示す信号を、主制御手段に送信する。主制御手段は、監視手段からこの信号を受信すると、ステップＳ１０６で開始した確認処理を終了する。このように、アンテナ部１４の通信エリアＡに物体が存在している状態が所定時間にわたって継続した場合には、制御手段は、確認処理を終了（縮退）する。
【００３２】
ステップＳ１１１の「通信記録体処理終了？」においては、制御手段は、通信記録体との無線通信が終了（切断）しているか否かと、確認処理が終了しているか否かを判定する。いずれか一方でも終了していない場合には、このステップで待機する。両方とも終了している場合には、このフローに示す処理を終了する。
【００３３】
このように、監視手段は、アンテナ部１４の通信エリアＡ内に存在する物体を検知してから所定時間経過するよりも前にＲ／Ｗ１３がアンテナ部１４を介して通信記録体と通信を開始した場合には、検知された物体が、自動改札機１が対応できる通信記録体であると判定する。そしてこの場合には、制御手段は通常の処理を実行する。
一方、監視手段は、アンテナ部１４の通信エリアＡ内に存在する物体を検知してから所定時間経過してもＲ／Ｗ１３がアンテナ部１４を介して通信記録体との通信を行っていない場合には、アンテナ部１４の通信エリアＡ内に存在する物体が、自動改札機１が対応できる通信記録体ではないか、または、この物体が通信記録体であったとしてもアンテナ部１４の通信エリアＡに通信できるように入っていないと判定する。この場合には、制御手段は、使用者に対して通信記録体の確認を促す確認処理を実行する。
このように、制御手段は、アンテナ部１４の通信エリアＡに物体が存在するか否かの検知結果と、アンテナ部１４の通信状態の判定結果とに応じた処理として、確認処理を実行する。
【００３４】
そして、制御手段は、確認処理を開始してから所定時間にわたって、アンテナ部１４の通信エリアＡ内に物体が存在し続けている場合には、確認処理を終了する。
【００３５】
このように、本実施形態にかかる自動改札機１は、使用者が通信記録体をアンテナ部１４にかざした際に、通信記録体と通信できた場合とできなかった場合とに応じた処理を行う。そして、本実施形態によれば、使用者が通信記録体をアンテナ部１４にかざした際に、通信記録体と通信できた場合とできなかった場合とに応じた処理を行うことができる。特に、通信記録体と無線通信できなかった場合には、使用者に対して、通信記録体の確認を促すことができる。使用者は、確認処理によって、所持している通信記録体の確認や、通信記録体をアンテナ部１４にかざしなおすことができる。
【００３６】
なお、前述のとおり、物体検知センサー１５の検知エリアＢが、アンテナ部１４の通信エリアＡよりも広い構成であってもよい。たとえば、使用者としては通信記録体をアンテナ部１４にかざしたつもりであっても、通信記録体とアンテナ部１４との距離が大きく、通信記録体が通信エリアＡ内に入り込まなかったという場合がある。このような場合であっても、自動改札機１は前述の処理および動作を行い、使用者に確認を促すことができる。
【００３７】
以上、本発明の実施形態を、図面を参照して詳細に説明したが、前記実施形態は、本発明の実施にあたっての具体例を示したに過ぎない。本発明の技術的範囲は、前記各実施形態に限定されるものではない。本発明は、その趣旨を逸脱しない範囲において種々の変更が可能であり、それらも本発明の技術的範囲に含まれる。
【００３８】
たとえば、前記実施形態では、対応する通信記録体としてＩＣカードを示したが、対応する通信記録体はＩＣカードに限定されるものではない。通信記録体としては、ＩＣカードのほかに、携帯電話、ＰＤＡ、ＩＣカードが格納された携帯電話など、各種の通信記録体が適用できる。また、前記実施形態では、開閉扉を有さない自動改札機を示したが、開閉扉を有する自動改札機にも適用できる。
【産業上の利用可能性】
【００３９】
本発明は、自動改札機に有効な技術である。そして、本発明によれば、使用者がかざした通信記録体と通信できたか否かに応じた処理を行うことができる。
【符号の説明】
【００４０】
１：自動改札機、１０：筺体、１１：主制御盤、１２：監視盤、１３：リーダ／ライタ（Ｒ／Ｗ）、１４：アンテナ部、１５：物体検知センサー、１６：表示器、１７：スピーカー、１８：ブザー、１９：インジケーター、Ａ：通信エリア、Ｂ：検知エリア
【図１】
2015108938.tif 000003
【図２】
2015108938.tif 000004
【図３】
2015108938.tif 000005
【図４】
2015108938.tif 000006
【図５】
2015108938.tif 000007
【図６】
2015108938.tif 000008